(57)【要約】【課題】  映像の表示を操作性および保守性を向上させる。【解決手段】  複数の映像送信装置１，２，３，４内の映像信号源５，６，７，８から、出力される映像信号９，１０，１１が映像受信装置２４に入力される構成であって、受信用タイミング発生回路２０、フレームバッファ１６，１７，１８，１９、映像信号処理回路２１を設ける。受信用タイミング発生回路２０から出力される送信許可信号１２，１３，１４，１５は、受信用タイミング発生回路２０内で生成されたタイミングで順次送信され、それと同期したタイミングでバッファ書込み許可信号２８，２９，３０，３１を送信し、フレームバッファ１６，１７，１８，１９に映像信号９，１０，１１を書き込む。フレームバッファ内の映像信号は映像信号処理回路２１において一つの映像画面に合成され、表示装置２２において映像信号を表示する。【選択図】      図１
2006276163.tif 000002
【特許請求の範囲】
【請求項１】
各映像送信装置からの映像信号を入力し、ハードウェアで自動的に切り替え、フレームバッファに書込み後、合成して同時に表示する表示装置。
【発明の詳細な説明】
【技術分野】
【０００１】
本発明は、表示装置に関し、特に、合成した映像を表示する表示装置に関する。
【背景技術】
【０００２】
近年使用されるブレードとは、１つまたは複数のプロセッサ、ローカル・メモリ、入出力サブシステムから構成されるコンピュータを意味する。複数のブレードは相互に接続され、ブレード間でデータの送受信を可能とする。
【０００３】
近年、これらのブレード数が多い大規模な構成のシステムが増えてきており、各々のブレードを管理するコンソールに関して、操作性および保守性の高い装置が要求されている。
【０００４】
従来の装置は、ブレードを管理するモジュールを持ち、この管理モジュール内に各ブレードのコンソール情報を切り替えるスイッチを備え、指定したブレードのコンソール情報のみを表示する。他のブレードのコンソール情報を確認するためには、切替スイッチを押下するか、管理モジュール経由でＷｅｂコンソールから切り替えるなど、人手による操作を要した。すなわち、表示中でないブレードのコンソール表示に変化があっても、切替後にはその変化は表示することができず、障害などのステータス変化を見落とす危険性があった。
【０００５】
【特許文献１】特開平０６−００６７８１号公報
【特許文献２】特開２０００−０６９３２１号公報
【特許文献３】特開２０００−２４４８８３号公報
【発明の開示】
【発明が解決しようとする課題】
【０００６】
従来の装置は、映像受信装置内に各映像送信装置から送信される映像信号を切り替えるスイッチを備え、指定した映像送信装置からの映像信号のみを表示する。他の映像送信装置の映像信号は人手によりスイッチを切り替えるまで表示されない。
【０００７】
したがって、未表示中の映像送信装置に障害などが発生し、該映像送信装置内の映像信号源がこの情報を出力しているにも関わらず、最終的な表示装置に映像表示されず、障害を見落とす危険性があるということが課題であった。
【０００８】
本発明の主な目的は、単体の表示装置に全てのブレードのコンソール映像を同時に表示する仕組みを簡易なハードウェアで実現する方法を提供することにある。
【課題を解決するための手段】
【０００９】
本発明の表示装置は、各映像送信装置からの映像信号を入力し、ハードウェアで自動的に切り替え、フレームバッファに書込み後、合成して同時に表示する。
【発明の効果】
【００１０】
本発明においては、以下に記載するような効果を奏する。
【００１１】
第１の効果は、各映像送信装置からの映像信号をバス接続し、送信許可信号をハードウェアで自動的に切り替え、フレームバッファに書込み後、合成して表示する仕組みを設けたことで、単体の表示装置に全ての映像送信装置の映像信号を同時に表示することが可能となり、人手による切替処理が不要となることで操作性が向上する。
【００１２】
第２の効果は、管理テーブルにより、映像送信装置とフレームバッファの対応を任意に設定でき、フレームバッファに障害が発生した場合に自動的に切り替える仕組みを持つことで保守性が向上する。
【発明を実施するための最良の形態】
【００１３】
次に、本発明を実施するための最良の形態について図面を参照して詳細に説明する。
【００１４】
図１を参照すると、本発明の一実施例としての全体構成が示されている。
【００１５】
本構成は、複数の映像送信装置１，２，３，４および単一の映像受信装置２４を有する。各々の映像送信装置１，２，３，４は、映像信号源５，６，７，８を持ち、映像信号源５，６，７，８から出力される映像信号９，１０，１１がバス接続される。
【００１６】
映像受信装置２４内の受信用タイミング発生回路２０は、送信許可信号１２，１３，１４，１５を順次送信する。映像送信装置１，２，３，４内の映像信号源５，６，７，８は、送信許可信号１２，１３，１４，１５を受信すると、映像信号９，１０，１１を出力する。映像信号９，１０，１１は、映像受信装置２４内のフレームバッファ１６，１７，１８，１９に接続される。
【００１７】
映像受信装置２４内の受信用タイミング発生回路２０は、送信許可信号１２，１３，１４，１５を送信するタイミングに同期して、バッファ書込み許可信号２８，２９，３０，３１をフレームバッファ１６，１７，１８，１９へ送信する。フレームバッファ１６，１７，１８，１９は、バッファ書込み許可信号２８，２９，３０，３１を受信すると、映像信号９，１０，１１をバッファに格納する。フレームバッファ１６，１７，１８，１９から出力される映像信号は映像信号処理装置２１において合成されて、一つの映像となり、表示装置２２に表示される。
【００１８】
管理テーブル２６は、映像送信許可信号とバッファ書込み許可信号の対応付けを設定する。初期状態として、送信許可信号１２とバッファ書込み信号２８、送信許可信号１３とバッファ書込み信号２９、送信許可信号１４とバッファ書込み信号３０、送信許可信号１５とバッファ書込み信号３１が対応付けされており、この情報が構成情報２７として、受信用発生タイミング発生回路２０へ送信される。
【００１９】
障害通知２５は、フレームバッファ１６，１７，１８，１９から管理テーブル２６に送信され、フレームバッファに障害が発生したことを示す。管理テーブル２６は、障害通知２５を受信すると、障害が発生したフレームバッファを無効にし、未使用のフレームバッファを割り当てる。
【００２０】
モード選択信号２３は、選択された映像送信装置の映像のみを表示する状態と、全ての映像送信装置の映像を合成して表示する状態との切替を行う。モード選択信号２３は、受信用タイミング発生回路２０と映像信号処理装置２１に接続され、選択された映像送信装置の映像のみを表示する状態を示すとき、映像送信装置からの映像信号はフレームバッファをバイパスして映像信号処理回路２１に入力される。
【００２１】
図２を参照すると、映像受信装置２４内の管理テーブル２６と受信用タイミング発生回路２０の詳細が示されている。
【００２２】
管理テーブル２６は、有効フラグ２６１とバッファ番号２６２から構成されている。有効フラグ２６１は、対応する映像送信装置が有効か無効かを示す各々１ビットのレジスタで、受信用タイミング発生回路２０内の論理回路２０２に接続される。バッファ番号２６２は、対応する映像送信装置からの映像信号をどのフレームバッファに格納するかを示す各々４ビットのレジスタで、受信用タイミング発生回路２０内のセレクタ２０４に接続される。
【００２３】
受信用タイミング発生回路２０内のポインタ２０１は、現在出力している送信許可信号のエンコード値を格納する４ビットのレジスタで、論理回路２０２、セレクタ２０４およびセレクタ２０８に接続される。セレクタ２０４は、ポインタ２０１をアドレスとして、バッファ番号２６２をセレクトし、タイミング調整レジスタ２０６に接続される。タイミング調整レジスタ２０６は、送信許可信号を出力してから実際に映像送信装置が映像信号を出力して、フレームバッファに届くまでの時間遅延させる４ビットのレジスタで、デコーダ２０７に接続される。
【００２４】
レジスタ２０９は、モード選択信号２３が、選択された映像送信装置の映像のみを表示する状態を示す時、指定する映像送信装置の番号を格納する４ビットのレジスタで、セレクタ２０８に接続される。セレクタ２０８は、レジスタ２０９とポインタ２０３の値をモード選択信号２３によりセレクトし、デコーダ２０５に接続される。デコーダ２０５は、ポインタ２０１の値をデコードして送信許可信号を生成する。デコーダ２０７は、タイミング調整レジスタ２０６の値をデコードしてバッファ書込み許可信号を生成する。論理回路２０２は、管理テーブル２６から送信される有効フラグ２６１とポインタ２０１の値から次のポインタ値２０３を計算する。
【００２５】
図３を参照すると、管理テーブル２６の状態遷移および表示装置２２の状態が示されている。
【００２６】
本実施例では、初期状態として、映像送信装置１，２，３，４に対応する有効フラグが１となっている。障害通知２５により、フレームバッファ１７（＃２）が故障したことを示すと、使用していないフレームバッファの最若番＃５を映像送信装置２に割り当てる。フレームバッファ＃５が仮に割り当てられていた映像送信装置５番のバッファ番号には全ビット１の無効値が書き込まれる（図中ではＦと表記）。
【００２７】
次に、映像送信装置６番が追加されると、フレームバッファ＃６が割り当てられ、対応する有効フラグが１となる。次に映像送信装置５番が追加されると、対応するバッファ番号が無効値となっているため、使用していないフレームバッファの最若番＃７を映像送信装置５番に割り当てる。フレームバッファ＃７が仮に割り当てられていた映像送信装置７番のバッファ番号には全ビット１の無効値が書き込まれる。かくして、前述した処理を実行する。
【００２８】
次に、本発明を実施するための最良の形態の動作について図面を参照して説明する。
【００２９】
以下、本実施例の動作を説明する。
【００３０】
映像送信装置１，２，３，４から送信される映像信号９，１０，１１を映像受信装置２４において同時に表示する処理について、図４のタイミング図を用いて説明する。
【００３１】
各項目の説明として、クロック３００はシステムに供給される基本クロックを示す。次ポインタ値２０３は論理回路２０２の出力信号で、基本クロックを契機としてポインタ２０１に入力される。送信許可信号１２，１３，１４，１５は、デコーダ２０５の出力信号で、それぞれ映像送信装置１，２，３，４内の映像信号源５，６，７，８に入力される。フレームバッファ１６，１７，１８，１９は、バッファ書込み許可信号２８，２９，３０，３１を契機として、映像信号９，１０，１１の情報を対応するフレームバッファ１６，１７，１８，１９に書き込む。時間は動作を説明するためにＴ０からＴ８まで１クロックごとにカウントされる。
【００３２】
次に動作を説明する。
【００３３】
Ｔ０において、次ポインタ値２０３が１と計算される。
Ｔ１において、次ポインタ値２０３が２と計算される。Ｔ０における次ポインタ値２０３の値１がポインタ２０１にセットされ、送信許可信号１２が１となる。
【００３４】
Ｔ２において、次ポインタ値２０３が３と計算される。Ｔ１における次ポインタ値２０３の値２がポインタ２０１にセットされ、送信許可信号１３が１となる。タイミング調整レジスタ２０６に、バッファ番号＃１がセットされ、バッファ書込み許可信号２８が１となる。
【００３５】
Ｔ３において、次ポインタ値２０３が４と計算される。Ｔ２における次ポインタ値２０３の値３がポインタ２０１にセットされ、送信許可信号１４が１となる。タイミング調整レジスタ２０６に、バッファ番号＃２がセットされ、バッファ書込み許可信号２９が１となる。フレームバッファ１６に映像信号１ａが書き込まれる。映像信号処理回路２１の映像は１ａｘｘｘｘｘｘとなる。
【００３６】
Ｔ４において、次ポインタ値２０３が１と計算される。Ｔ３における次ポインタ値２０３の値４がポインタ２０１にセットされ、送信許可信号１５が１となる。タイミング調整レジスタ２０６に、バッファ番号＃３がセットされ、バッファ書込み許可信号３０が１となる。フレームバッファ１７に映像信号２ａが書き込まれる。映像信号処理回路２１の映像は１ａ２ａｘｘｘｘとなる。
【００３７】
Ｔ５において、次ポインタ値２０３が２と計算される。Ｔ４における次ポインタ値２０３の値１がポインタ２０１にセットされ、送信許可信号１２が１となる。タイミング調整レジスタ２０６に、バッファ番号＃４がセットされ、バッファ書込み許可信号３１が１となる。フレームバッファ１８に映像信号３ａが書き込まれる。映像信号処理回路２１の映像は１ａ２ａ３ａｘｘとなる。
【００３８】
Ｔ６において、次ポインタ値２０３が３と計算される。Ｔ５における次ポインタ値２０３の値２がポインタ２０１にセットされ、送信許可信号１３が１となる。タイミング調整レジスタ２０６に、バッファ番号＃１がセットされ、バッファ書込み許可信号２８が１となる。フレームバッファ１９に映像信号４ａが書き込まれる。映像信号処理回路２１の映像は１ａ２ａ３ａ４ａとなる。
【００３９】
Ｔ７において、次ポインタ値２０３が４と計算される。Ｔ６における次ポインタ値２０３の値３がポインタ２０１にセットされ、送信許可信号１４が１となる。タイミング調整レジスタ２０６に、バッファ番号＃２がセットされ、バッファ書込み許可信号２９が１となる。フレームバッファ１６に映像信号１ｂが書き込まれる。映像信号処理回路２１の映像は１ｂ２ａ３ａ４ａとなる。
【００４０】
Ｔ８において、次ポインタ値２０３が１と計算される。Ｔ７における次ポインタ値２０３の値４がポインタ２０１にセットされ、送信許可信号１５が１となる。タイミング調整レジスタ２０６に、バッファ番号＃３がセットされ、バッファ書込み許可信号３０が１となる。フレームバッファ１７に映像信号２ｂが書き込まれる。映像信号処理回路２１の映像は１ｂ２ｂ３ａ４ａとなる。
以下、同様の手順で処理が継続する。
【００４１】
本発明の第２の実施例として、その基本的構成は上記の通りであるが、表示装置に関して、各映像送信装置の表示サイズを固定にしているが、映像送信装置の実装数にしたがって、大きさを変えても良い。
【００４２】
映像送信装置が１つのみ接続されている場合は、分割なしとしても良い。映像送信装置が２つ接続されている場合は、２分割としても良い。映像送信装置が３つ接続されている場合は、３分割としても良い。以下同様に、映像送信装置が９つ接続されている場合は、９分割としても良い。
【００４３】
また、最初の実施例では、映像受信装置を１つとしたがｎ個（ｎは任意の自然数）として良い。また、最初の実施例では、映像送信装置を４つとしたがｎ個（ｎは任意の自然数）として良い。また、最初の実施例では、フレームバッファ数を映像送信装置と同数としたが障害に備えて余分に実装しても良い。
【００４４】
また、最初の実施例では、送信許可信号を送信してから、映像信号が出力されるまで１クロックとしたがｎクロック（ｎは任意の自然数）として良い。この場合、タイミング調整レジスタを多段に設けるか、ホールド可能なレジスタを用いる。また、最初の実施例では、映像信号として特にＲＧＢの３本しか記載していないが実際は、水平同期信号、垂直同期信号などを伴う。本発明には直接関係しないため省略した。また、ＲＧＢ信号そのものに関しては、当業者にとって良く知られた技術であり、説明は省略する。また、映像信号は特にＲＧＢ信号に限定されるものではない。
【図面の簡単な説明】
【００４５】
【図１】本発明を実施するための最良の形態の構成を示すブロック図。
【図２】図１の受信用タイミング発生回路の詳細ブロック図。
【図３】管理テーブルの状態遷移および表示装置の状態を示す説明図。
【図４】本発明を実施するための最良の形態の動作を示すタイミング図。
【符号の説明】
【００４６】
１，２，３，４    映像送信装置
５，６，７，８    映像信号源
９，１０，１１    映像信号
１２，１３，１４，１５    送信許可信号
１６，１７，１８，１９    フレームバッファ
２０    受信用タイミング発生回路
２１    映像信号処理回路
２２    表示装置
２３    モード選択信号
２４    映像受信装置
２５    障害通知
２６    管理テーブル
２７    構成情報
２８，２９，３０，３１    バッファ書込み許可信号
２０１    ポインタ
２０２    論理回路
２０３    ポインタ値
２０４    セレクタ
２０５    デコーダ
２０６    タイミング調整レジスタ
２０７    デコーダ
２０８    セレクタ
２０９    レジスタ
２６１    有効フラグ
２６２    バッファ番号
【図１】
2006276163.tif 000003
【図２】
2006276163.tif 000004
【図３】
2006276163.tif 000005
【図４】
2006276163.tif 000006